(57)【要約】【課題】  本発明は、両手操作で疲れることなく、そして直に土や草に触れずに、ごく小さな草から強固に根差した草まで根元を挟んでより効率的に草を抜き取ることの出来る除草具を提供することにある。【解決手段】  両手で持って操作する長柄１、５の先端に取り付けた平板状の柄を交差させ交差部分を軸支ピン１０で軸支するようにした鋏形の除草具であって、一方の長柄１の先端にＬ字形に屈曲する鉄製の屈曲柄２を設け、この屈曲柄２から垂直に長方形の当て板３を延設し、また他方の長柄５の先端に設けた平板状の屈曲柄６の先端に鍬形の刃７を前記当て板３に向けて傾けて設けた除草具であり、また前記平板状の屈曲柄６は長柄５の先端から真直ぐ伸びた延長部分６ａと、やや内側に屈曲させ、かつ下方に傾けた屈曲部分６ｂとからなり、この屈曲柄６の先端に前記鍬刃７を一体的に４５度傾けて取り付けた除草具である。【選択図】  図１
2005130703.tif 000002
【特許請求の範囲】
【請求項１】
両手で持って操作する長柄（１、５）の先端に取り付けた平板状の柄を交差させ交差部分を軸支ピン（１０）で軸支するようにした鋏形の除草具であって、一方の長柄（１）の先端にＬ字形に屈曲する鉄製の屈曲柄（２）を設け、この屈曲柄（２）から垂直に長方形の当て板（３）を延設し、また他方の長柄（５）の先端に設けた平板状の屈曲柄（６）の先端に鍬形の刃（７）を前記当て板（３）に向けて傾けて設けた除草具。
【請求項２】
前記平板状の屈曲柄（６）は長柄（５）の先端から真直ぐ伸びた延長部分（６ａ）と、やや内側に屈曲させ、かつ下方に傾けた屈曲部分（６ｂ）とからなり、この屈曲柄（６）の先端に前記鍬刃（７）を一体的に４５度傾けて取り付けた請求項１記載の除草具。
【請求項３】
前記平板状の屈曲柄（６）の延長部分（６ａ）の下縁両側から鉛直に軸支板（８）とガイド板（９）とを張り出して設け、この軸支板（８）と前記屈曲柄（２）とを交差、接合させて軸支ピン（１０）でカシメ止めするようにした請求項１記載の除草具。
【発明の詳細な説明】
【技術分野】
【０００１】
本発明は、家の庭や菜園または路面に生える雑草を容易に取り除くことの出来る除草具に関する。
【背景技術】
【０００２】
家の庭や小菜園または路面に生える雑草を刈り取る、または根から抜き取る為の除草具がいろいろと提案されている。例えば特許文献１のものは、長尺な柄の先端に一方がスコップで他方がクワ形の挟持部を設け、スコップ部で掘り起こした雑草をクワ形部で挟み込み抜き取るようにしたものである。このものは雑草一本一本の根を掘り起こし掴み取るものであるから手間がかかり、また柄の後端のハンドルを片手の握力で操作するものであるから手が疲れて長続きしないという問題があった。また特許文献２のものは、雑草の挟持部に関しては特許文献１のものとほぼ同等のものであって、一方がシャベル、他方がギザギザなつかみ刃としている。然しながらこのものは火バサミ形状であるから同様に片手握力で操作するので手が疲れて長続きしないという問題があった。
【０００３】
また特許文献３のものは、長尺柄の先端に設けた固定刃に可動刃を押し付けて雑草を挟み取るようにした除草具を開示する。このものは長尺柄の後端に設けたレバーを片手操作して前記可動刃を回転するようにしたものであって矢張り片手握力で操作するので手が疲れて長続きしないという問題がある。
【特許文献１】特開平９−２８１０１号
【特許文献２】実開平２−１３７８０１号
【特許文献３】特開平８−１５４４０３号
【発明の開示】
【発明が解決しようとする課題】
【０００４】
本発明は、両手操作で疲れることなく、そして直に土や草に触れずに、ごく小さな草から強固に根差した草まで根元を挟んでより効率的に草を抜き取ることの出来る除草具を提供することにある。
【課題を解決するための手段】
【０００５】
本発明は、請求項１記載のように、両手で持って操作する長柄１、５の先端に取り付けた平板状の柄を交差させ交差部分を軸支ピン１０で軸支するようにした鋏形の除草具であって、一方の長柄１の先端にＬ字形に屈曲する鉄製の屈曲柄２を設け、この屈曲柄２から垂直に長方形の当て板３を延設し、また他方の長柄５の先端に設けた平板状の屈曲柄６の先端に鍬形の刃７を前記当て板３に向けて傾けて設けた除草具であり、また請求項２記載のように、前記平板状の屈曲柄６は長柄５の先端から真直ぐ伸びた延長部分６ａと、やや内側に屈曲させ、かつ下方に傾けた屈曲部分６ｂとからなり、この屈曲柄６の先端に前記鍬刃７を一体的に４５度傾けて取り付けたことを特徴とする。また請求項３記載のように、前記平板状の屈曲柄６の延長部分６ａの下縁両側から鉛直に軸支板８とガイド板９とを張り出して設け、この軸支板８と前記屈曲柄２とを交差、接合させて軸支ピン１０でカシメ止めするようにしたことを特徴とする除草具である。
【発明の効果】
【０００６】
本発明の除草具は、剪定バサミのような操作で草取りをするものであるから従来の片手操作式に比べ連続的に雑草取り作業をしても疲れることが無い。また一方を鍬刃、他方を当て板として草の根元を挟むことにより、ごく小さな草から強固に根差した草まで容易に抜き取ることが出来る。また草を挟んで処理できるので直接手で土や草に触らずに済み、手の汚れや怪我も防止することができる。
【発明を実施するための最良の形態】
【０００７】
本発明を実施するための最良の形態を図面に基づき以下説明する。本発明の除草具は、図1及び図２に示すように、樹木の小枝などを切り取る剪定鋏のように２本の長柄１と５を両手で持って操作するものであって、長柄の先端に取り付けた鍬刃７及び当て板３の柄が相互に交差するように組まれて、交差部分が軸支ピンで支持されている。
【実施例】
【０００８】
すなわち本発明の除草具は、一方の長柄１の先端にＬ字形に屈曲する鉄製の屈曲柄２を設け、この屈曲柄２から垂直に長方形の当て板３を設ける。すなわち当て板３の頂部３ａはＬ字形に折り曲げられており、この頂部３ａと屈曲片2とを面接合させてビス４で止めている。尚、当て板３の材質はアルミ、鉄または硬質な樹脂とする。
【０００９】
また他方の長柄５の先端に嵌めこんだ平板状の屈曲柄６の先端に焼入れした鍬形の刃７を手元に向うように傾けて設ける。すなわち前記平板状の屈曲柄６は長柄５の先端から真直ぐ伸びた延長部分６ａと、やや内側に屈曲させ、かつ下方に傾けた屈曲部分６ｂとからなり、この屈曲柄６の先端に前記鍬刃７を一体的に４５度傾けて取り付けたものである。また平板状の延長部分６ａの下縁両側から鉛直に軸支板８とガイド板９とを張り出して設ける。そしてこの軸支板８と前記屈曲柄２とを交差、接合させて軸支ピン１０でカシメ止めする。長柄１と５の先端間に戻しバネ１１を張設し、長柄間の引き離しを容易にするようにしてある。また一方の長柄５に立設したストッパーピン１２は、両手操作で長柄を閉じて鍬刃７と当て板３とが当接したときにストッパーピン１２の先端が他方の長柄１に突き当たりそれ以上長柄同士を閉じられないようにしてある。
【００１０】
本除草具は、支点となる軸ピン１０から長柄１の先端までの長さを３５ｃｍ、軸ピン１０より長柄５の先端までの長さを３０ｃｍとし、長柄１と長柄５を開いたときに先端部の内寸法が２０ｃｍとなるようにし、戻しバネ１１を設けることによりさらに操作し易くなる。
【００１１】
本発明の除草具を用いて雑草を抜き取るときは、図３に示すように当て板３を地面に直交するようにその先端を地面に押し当て、長柄１と５を両手で持って戻しばね１１に抗して閉じ、雑草の根元を当て板３と鍬刃７で挟み込むようにする。そして当て板３を手前にずらしながら連続的に雑草を刈り取っていくと鍬刃７が４５度傾いているので刈り取られた雑草は鍬刃７の面上を伝って後端から地面に落下する。また当て板３と鍬刃７の閉じこみ時には、図４に示すように屈曲柄２とガイド板９とが面接合して滑動するので鍬刃７の先端が当て板３の面にがたつくことなく確実に当接して雑草の根元を押さえ込むことが出来る。
【００１２】
また土が固い上に根が柔らかく切れ易い草を1本ずつ抜き取る場合は、図４に示すように雑草の根元を挟んだ状態で長柄１、５を押し下げれば鍬刃７の長手方向の後端をてこ支点として鍬刃を持ち上げ、雑草を抜き取ることもできる。
【図面の簡単な説明】
【００１３】
【図１】本発明に係る除草具の平面図である。
【図２】図１の斜視図である。
【図３】作業状態を示す正面図である。
【図４】作業状態を当て板3側背面から見た正面図である。
【符号の説明】
【００１４】
１、５  長柄
２  屈曲柄
３  当て板
４  ビス
６  屈曲柄
７  鍬刃
８  軸支板
９  ガイド板
１０  軸支ピン
１１  戻しバネ
１２  ストッパーピン
【図１】
2005130703.tif 000003
【図２】
2005130703.tif 000004
【図３】
2005130703.tif 000005
【図４】
2005130703.tif 000006